(57)【特許請求の範囲】
【請求項１】
室内空気の汚れを除去する空気清浄器を室内ユニットに備えた空気清浄器付空気調和機において、
室内空気の汚れを検出する汚れ検出手段と、
この汚れ検出手段の作動開始から所定時間後、その汚れ検出手段の検出結果と基準値との比較により前記空気清浄器の運転を制御する制御手段と、
前記空気清浄器の運転中に前記汚れ検出手段の検出結果の最低値を記憶する記憶手段と、
前記汚れ検出手段の作動開始から所定時間後、その汚れ検出手段の検出結果が、前記空気清浄器の前回運転時に前記記憶手段にて記憶された最低値より設定値以上大きい場合に、その検出結果の大きさ対応して、最低値を前記基準値として設定するか、その検出結果より予め決められた所定値だけ低い値を前記基準値として設定するか、その検出結果より前記汚れ検出手段の設定感度に対応する所定値だけ低い値を前記基準値として設定するかの何れかを選択して設定する基準値調整手段と、
を具備したことを特徴とする空気清浄器付空気調和機。
【請求項２】
室内空気の汚れを除去する空気清浄器を室内ユニットに備えた空気清浄器付空気調和機において、
室内空気の汚れを検出する汚れ検出手段と、
この汚れ検出手段の作動開始から所定時間後、その汚れ検出手段の検出結果と基準値との比較により前記空気清浄器の運転を制御する制御手段と、
前記汚れ検出手段が作動終了してから一定時間内に作動再開した場合、その作動再開から所定時間後、前記汚れ検出手段の検出結果と前回作動時の前記基準値または前記汚れ検出手段の検出結果の最低値とを比較し、この比較結果に応じて今回作動時の前記基準値を設定するとともに、前記基準値を時間経過に従い可変設定する基準値調整手段と、
を具備したことを特徴とする空気清浄器付空気調和機。
【請求項３】
請求項２に記載の空気清浄器付空気調和機において、前記基準値調整手段は、可変設定の時間間隔を前記汚れ検出手段の検出結果または設定感度に応じて選定することを特徴とする空気清浄器付空気調和機。
【請求項４】
請求項２に記載の空気清浄器付空気調和機において、前記基準値調整手段は、可変設定する基準値の変動幅を前記汚れ検出手段の検出結果または設定感度に応じて選定することを特徴とする空気清浄器付空気調和機。
【発明の詳細な説明】
【０００１】
【発明の属する技術分野】
この発明は、空気清浄器を備えた空気清浄器付空気調和機に関する。
【０００２】
【従来の技術】
一般に、空気調和機は、室内空気の吸込口にメッシュフィルタを着脱自在に備える。このメッシュフィルタにより、埃など、比較的に大きなものを取り除くことができる。
【０００３】
また、近年、空気調和機には、メッシュフィルタだけでなく、室内空気中の埃や煙草の煙などを除去する空気清浄器を搭載し、さらに空気の汚れを検知して、汚れの度合に応じて空気清浄器の運転制御を行うものがある。
【０００４】
【発明が解決しようとする課題】
しかしながら、従来の空気清浄器の運転制御では、空気の汚れを検知するセンサが周囲の温度変動や湿度変動により特性が変化するため、適正に空気の汚れを検知して空気清浄器を制御することは困難であった。
【０００５】
また、上記センサは経時的にも特性が変動するという課題があった。
【０００６】
この発明は上記事情を考慮したもので、適正に空気の汚れを検知して空気清浄器を制御することが可能な空気清浄器付空気調和機を提供することを目的とする。
【０００７】
【課題を解決するための手段】
請求項１に係る発明の空気清浄器付空気調和機は、室内空気の汚れを除去する空気清浄器、および室内空気の汚れを検出する汚れ検出手段を備える。この汚れ検出手段の作動開始から所定時間後、その汚れ検出手段の検出結果と基準値との比較により空気清浄器の運転を制御するとともに、空気清浄器の運転中は汚れ検出手段の検出結果の最低値を記憶しておく。そして、汚れ検出手段の作動開始から所定時間後において、汚れ検出手段の検出結果が、空気清浄器の前回運転時に記憶された最低値より設定値以上大きい場合に、その検出結果の大きさ対応して、最低値を上記基準値として設定するか、その検出結果より予め決められた所定値だけ低い値を上記基準値として設定するか、その検出結果より上記汚れ検出手段の設定感度に対応する所定値だけ低い値を上記基準値として設定するかの何れかを選択して設定する。
【０００８】
請求項２に係る発明の空気清浄器付空気調和機は、とくに、汚れ検出手段が作動終了してから一定時間内に作動再開した場合、その作動再開から所定時間後、汚れ検出手段の検出結果と前回作動時の基準値または汚れ検出手段の検出結果の最低値とを比較し、この比較結果に応じて今回作動時の基準値を設定するとともに、基準値を時間経過に従い可変設定する。
【０００９】
請求項３に係る発明の空気清浄器付空気調和機は、とくに、可変設定の時間間隔を汚れ検出手段の検出結果または設定感度に応じて選定する。
【００１０】
請求項４に係る発明の空気清浄器付空気調和機は、とくに、可変設定する基準値の変動幅を前記汚れ検出手段の検出結果または設定感度に応じて選定する。
【００３０】
【発明の実施の形態】
［１］以下、この発明の第１実施例について図面を参照して説明する。
【００３１】
図１および図２において、１は空気調和機の室内ユニットで、居住空間に設置される。この室内ユニット１の筐体には、前面部に吸込口２ａ，２ｂ、上面部に吸込口２ｃ、下面部に吹出口３がそれぞれ設けられる。
【００３２】
室内ユニット１内には、吸込口２ａ，２ｂ，２ｃから吹出口３にかけて通風路４が形成され、その通風路に室内ファン５が設けられる。この室内ファン５の運転により、室内空気が室内ユニット１内を通して循環する。
【００３３】
通風路４において、吸込口２ａ，２ｂ，２ｃと室内ファン５との間に室内熱交換器６が配設される。吹出口３には送風方向設定用の吹出ルーバ７が配設される。
【００３４】
とくに、前面部の上側の吸込口２ｂは突出形状を有しており、その吸込口２ｂの内側には室内熱交換器６との間に空気清浄器１１が配設される。空気清浄器１１は、フィルタ１２を内蔵し、吸込み空気の汚れたとえば埃や煙草の煙などを臭いと共に除去する。
【００３５】
吸込口２ａの内側には室内熱交換器６との間に汚れ検出手段として汚れセンサ１３が配設される。汚れセンサ１３は、吸込み空気の汚れたとえば埃や煙草の煙などを検出する。
【００３６】
当該空気調和機の制御ブロックを図３に示す。
【００３７】
圧縮機２１、四方弁２２、室内熱交換器６、減圧器たとえば膨張弁２３、室外熱交換器２４が配管接続されてヒートポンプ式冷凍サイクルが構成される。
【００３８】
室内ファン５と室内の温度（吸込み空気温度）を検知する室内温度センサ３１が室内ユニット側に配設される。室内熱交換器６に熱交換器温度センサ３２が取付けられる。室外熱交換器２４の近傍には室外ファン２５が配設される。
【００３９】
４０は空気調和機全体を制御する制御回路で、この制御回路４０にインバータ装置４１、室内ファン制御回路４２、室外ファン制御回路４３、リモートコントローラ４４、高電圧発生回路４５、室内温度センサ３１、および熱交換器温度センサ３２が接続される。
【００４０】
インバータ装置４１は、商用交流電源の電圧を整流し、それをスイッチングにより所定周波数の交流電圧に変換して出力する。この出力が圧縮機２１の駆動電力となる。室内ファン制御回路４２は、室内ファン５の速度を制御する。室外ファン制御回路４３は、室外ファン２５の速度を制御する。リモートコントローラ４４は、当該空気調和機の運転条件をユーザが設定するために用意されている。高電圧発生回路４５は、空気清浄器１１に対する駆動用電圧を出力する。
【００４１】
そして、制御回路４０は、主要な機能として次の（１）〜（４）を備える。
【００４２】
（１）空調運転時（冷房、暖房、除湿など）、汚れセンサ１３を作動させる手段。
【００４３】
（２）汚れセンサ１３の作動開始から所定時間後（初期化動作後）、その汚れセンサ１３の検出結果と予め設定された基準値との比較により空気清浄器１１の運転を制御する制御手段。
【００４４】
（３）空気清浄器１１の運転中に汚れセンサ１３の検出結果の最低値を記憶する記憶手段。
【００４５】
（４）汚れセンサ１３の作動開始から所定時間後（初期化動作後）、汚れセンサ１３の検出結果が、空気清浄器１１の前回運転に際して上記記憶された最低値より設定値以上大きい場合に、その最低値を上記基準値として設定する基準値調整手段。
【００４６】
なお、室内ユニット１の概略斜視図を図４に示している。
【００４７】
つぎに、上記の構成の作用を説明する。
【００４８】
冷房や暖房等の空調運転が開始されるのに伴い、汚れセンサ１３への通電が開始され、汚れセンサ１３が作動を開始する。
【００４９】
居住空間に汚れ、たとえばユーザが煙草を吸い始めて煙が発生すると、その煙が汚れセンサ１３で検出される。汚れセンサ１３は、汚れ（煙）の度合いに応じた電圧レベルの信号を出力する。
【００５０】
汚れセンサ１３の検出結果（電圧レベル）と予め設定されている基準値とが比較され、検出結果が基準値より大きい場合に空気清浄器１１の運転（および室内ファン５の運転）が開始される。この運転により、汚れが除去される。
【００５１】
汚れが除去されて、汚れセンサ１３の検出結果が基準値以下に低下すると、空気清浄器１１の運転（および室内ファン５の運転）が停止する。
【００５２】
空気清浄器１１の運転がなされるのは、空調運転の実行時のみに限らない。空調運転が実行されていない場合でも、汚れセンサ１３の検出結果に応じて空気清浄器１１の運転（および室内ファン５の運転）が独自に実行される。
【００５３】
このように、空調運転の実行の有無にかかわらず、室内空気の汚れを自動的に捕らえて除去することができる。埃や煙草の煙などの汚れだけでなく、臭いについてもその除去が可能である。よって、居住空間を常に快適な状態に保つことができる。
【００５４】
ただし、室内空間が汚れた状態で空気清浄運転モードが開始された場合において、初期化動作終了後の汚れセンサ１３の検出結果がそのまま空気清浄器１１の運転制御の基準値として設定されると、汚れた状態が基準となるため、汚れているのに空気清浄器１１の運転が開始されないといった不具合を生じてしまう。
【００５５】
そこで、図５のフローチャートに示すように、空気清浄器１１の運転中に汚れセンサ１３の検出結果の最低値が制御回路４０内のメモリ（記憶手段）に記憶される（ステップＳ７〜Ｓ１１）。そして、汚れセンサ１３の作動開始から初めの所定時間における初期化動作が終了したとき、そのときの汚れセンサ１３の検出結果が、空気清浄器１１の前回運転時にメモリ記憶された最低値より設定値以上大きい場合に（室内空間が汚れているとの判断の下に）、その最低値が空気清浄器１１の運転制御の基準値として設定される（ステップＳ４，Ｓ５）。
【００５６】
前回運転時の最低値は、室内空間が最も清浄された状態での検出結果に相当する。
【００５７】
このような基準値の設定により、室内空間が汚れた状態で空気清浄運転モードが開始された場合でも、初期化動作終了後において、室内空間の汚れ具合を適切に捕らえることができ、空気清浄器１１の最適な運転制御を行うことができる。
【００５８】
［２］第２実施例について説明する。
【００５９】
本実施例では、図６のフローチャートに示すように、空気清浄器１１の運転中に汚れセンサ１３の検出結果の最低値が制御回路４０内のメモリ（記憶手段）に記憶される（ステップＳ７〜Ｓ１１）。そして、汚れセンサ１３の作動開始から初めの所定時間における初期化動作が終了したとき、そのときの汚れセンサ１３の検出結果が、空気清浄器１１の前回運転時にメモリ記憶された最低値より設定値以上大きい場合に（室内空間が汚れているとの判断の下に）、その検出結果より所定値低い値が空気清浄器１１の運転制御の基準値として設定される（ステップＳ４，Ｓ５）。
【００６０】
前回運転時の最低値は、室内空間が最も清浄された状態での検出結果に相当する。
【００６１】
初期化動作が終了したときの汚れセンサ１３の検出結果と、空気清浄器１１の前回運転時の最低値との差の開き具合が大きい場合には、最低値をそのまま基準値として設定すると、実際の汚れ量を超える分の過剰な空気清浄機能が発揮される事態を招き、エネルギが無駄となる。この点を考慮し、検出結果より所定値低い値を基準値として設定するようにしている。
【００６２】
このような基準値の設定により、室内空間が汚れた状態で空気清浄運転モードが開始された場合でも、初期化動作終了後において、室内空間の汚れ具合を適切に捕らえることができ、空気清浄器１１の最適な運転制御を行うことができる。
【００６３】
他の構成は第１実施例と同じである。
【００６４】
［３］第３実施例について説明する。
【００６５】
本実施例では、図６に示すフローチャートと同様に、空気清浄器１１の運転中に汚れセンサ１３の検出結果の最低値が制御回路４０内のメモリ（記憶手段）に記憶される。そして、汚れセンサ１３の作動開始から初めの所定時間における初期化動作が終了したとき、そのときの汚れセンサ１３の検出結果が、空気清浄器１１の前回運転時にメモリ記憶された最低値より設定値以上大きい場合に（室内空間が汚れているとの判断の下に）、その検出結果に対応する所定値だけ同検出結果より低い値が空気清浄器１１の運転制御の基準値として設定される。
【００６６】
前回運転時の最低値は、室内空間が最も清浄された状態での検出結果に相当する。
【００６７】
初期化動作が終了したときの汚れセンサ１３の検出結果と、空気清浄器１１の前回運転時の最低値との差の開き具合が大きい場合には、最低値をそのまま基準値として設定すると、実際の汚れ量を超える分の過剰な空気清浄機能が発揮される事態を招き、エネルギが無駄となる。この点を考慮し、検出結果より低い値を基準値として設定するようにしている。
【００６８】
とくに、検出結果よりどのくらい低くするかについて、検出結果に対応して予め設定された所定値を当てている。この所定値は、空気清浄機能の過剰発揮分に対応する。
【００６９】
このような基準値の設定により、室内空間が汚れた状態で空気清浄運転モードが開始された場合でも、初期化動作終了後において、室内空間の汚れ具合を適切に捕らえることができ、空気清浄器１１の最適な運転制御を行うことができる。
【００７０】
他の構成は第１実施例と同じである。
【００７１】
［４］第４実施例について説明する。
【００７２】
本実施例では、図６に示すフローチャートと同様に、空気清浄器１１の運転中に汚れセンサ１３の検出結果の最低値が制御回路４０内のメモリ（記憶手段）に記憶される。そして、汚れセンサ１３の作動開始から初めの所定時間における初期化動作が終了したとき、そのときの汚れセンサ１３の検出結果が、空気清浄器１１の前回運転時にメモリ記憶された最低値より設定値以上大きい場合に（室内空間が汚れているとの判断の下に）、その検出結果より汚れセンサ１３の設定感度に対応して予め設定された所定値だけ低い値が空気清浄器１１の運転制御の基準値として設定される。
【００７３】
前回運転時の最低値は、室内空間が最も清浄された状態での検出結果に相当する。
【００７４】
初期化動作が終了したときの汚れセンサ１３の検出結果と、空気清浄器１１の前回運転時の最低値との差の開き具合が大きい場合には、最低値をそのまま基準値として設定すると、実際の汚れ量を超える分の過剰な空気清浄機能が発揮される事態を招き、エネルギが無駄となる。この点を考慮し、検出結果より低い値を基準値として設定するようにしている。
【００７５】
とくに、検出結果よりどのくらい低くするかについて、汚れセンサ１３の設定感度に対応する所定値を当てている。この所定値は、空気清浄機能の過剰発揮分に対応する。
【００７６】
このような基準値の設定により、室内空間が汚れた状態で空気清浄運転モードが開始された場合でも、初期化動作終了後において、室内空間の汚れ具合を適切に捕らえることができ、空気清浄器１１の最適な運転制御を行うことができる。
【００７７】
他の構成は第１実施例と同じである。
【００７８】
［５］第５実施例について説明する。
【００７９】
本実施例では、図７のフローチャートに示すように、空気清浄器１１の運転中に汚れセンサ１３の検出結果の最終値が制御回路４０内のメモリ（記憶手段）に記憶される。そして、汚れセンサ１３の作動開始から初めの所定時間における初期化動作が終了したとき、そのときの汚れセンサ１３の検出結果が、空気清浄器１１の前回運転時にメモリ記憶された最終値より設定値以上大きい場合に（室内空間が汚れているとの判断の下に）、その最終値が空気清浄器１１の運転制御の基準値として設定される。
【００８０】
前回運転時の最終値は、室内空間が十分に清浄された状態での検出結果に相当する。
【００８１】
このような基準値の設定により、室内空間が汚れた状態で空気清浄運転モードが開始された場合でも、初期化動作終了後において、室内空間の汚れ具合を適切に捕らえることができ、空気清浄器１１の最適な運転制御を行うことができる。
【００８２】
他の構成は第１実施例と同じである。
【００８３】
［６］第６実施例について説明する。
【００８４】
本実施例では、図８のフローチャートに示すように、空気清浄器１１の運転中に汚れセンサ１３の検出結果の最終値が制御回路４０内のメモリ（記憶手段）に記憶される。そして、汚れセンサ１３の作動開始から初めの所定時間における初期化動作が終了したとき、そのときの汚れセンサ１３の検出結果が、空気清浄器１１の前回運転時にメモリ記憶された最終値より設定値以上大きい場合に（室内空間が汚れているとの判断の下に）、その検出結果より所定値低い値が空気清浄器１１の運転制御の基準値として設定される（ステップＳ４，Ｓ５）。
【００８５】
前回運転時の最終値は、室内空間が十分に清浄された状態での検出結果に相当する。
【００８６】
初期化動作が終了したときの汚れセンサ１３の検出結果と、空気清浄器１１の前回運転時の最終値との差の開き具合が大きい場合には、最終値をそのまま基準値として設定すると、実際の汚れ量を超える分の過剰な空気清浄機能が発揮される事態を招き、エネルギが無駄となる。この点を考慮し、検出結果より所定値低い値を基準値として設定するようにしている。
【００８７】
このような基準値の設定により、室内空間が汚れた状態で空気清浄運転モードが開始された場合でも、初期化動作終了後において、室内空間の汚れ具合を適切に捕らえることができ、空気清浄器１１の最適な運転制御を行うことができる。
【００８８】
他の構成は第１実施例と同じである。
【００８９】
［７］第７実施例について説明する。
【００９０】
本実施例では、図８のフローチャートに示すように、空気清浄器１１の運転中に汚れセンサ１３の検出結果の最終値が制御回路４０内のメモリ（記憶手段）に記憶される（ステップＳ１０，Ｓ１１）。そして、汚れセンサ１３の作動開始から初めの所定時間における初期化動作が終了したとき、そのときの汚れセンサ１３の検出結果が、空気清浄器１１の前回運転時にメモリ記憶された最終値より設定値以上大きい場合に（室内空間が汚れているとの判断の下に）、その検出結果に対応して予め設定された所定値だけ同検出結果より低い値が空気清浄器１１の運転制御の基準値として設定される。
【００９１】
前回運転時の最終値は、空気清浄運転の終了寸前の検出値であり、室内空間が十分に清浄された状態での検出結果に相当する。
【００９２】
初期化動作が終了したときの汚れセンサ１３の検出結果と、空気清浄器１１の前回運転時の最低値との差の開き具合が大きい場合には、最終値をそのまま基準値として設定すると、実際の汚れ量を超える分の過剰な空気清浄機能が発揮される事態を招き、エネルギが無駄となる。この点を考慮し、検出結果より低い値を基準値として設定するようにしている。
【００９３】
とくに、検出結果よりどのくらい低くするかについて、検出結果に対応する所定値を当てている。この所定値は、空気清浄機能の過剰発揮分に対応する。
【００９４】
このような基準値の設定により、室内空間が汚れた状態で空気清浄運転モードが開始された場合でも、初期化動作終了後において、室内空間の汚れ具合を適切に捕らえることができ、空気清浄器１１の最適な運転制御を行うことができる。
【００９５】
他の構成は第１実施例と同じである。
【００９６】
［８］第８実施例について説明する。
【００９７】
本実施例では、図８に示すフローチャートと同様に、空気清浄運転の終了寸前の検出値であり、空気清浄器１１の運転中に汚れセンサ１３の検出結果の最終値が制御回路４０内のメモリ（記憶手段）に記憶される。そして、汚れセンサ１３の作動開始から初めの所定時間における初期化動作が終了したとき、そのときの汚れセンサ１３の検出結果が、空気清浄器１１の前回運転時にメモリ記憶された最終値より設定値以上大きい場合に（室内空間が汚れているとの判断の下に）、その検出結果より汚れセンサ１３の設定感度に対応する所定値だけ低い値が空気清浄器１１の運転制御の基準値として設定される。
【００９８】
前回運転時の最終値は、空気清浄運転の終了寸前の検出値であり、室内空間が最も清浄された状態での検出結果に相当する。
【００９９】
初期化動作が終了したときの汚れセンサ１３の検出結果と、空気清浄器１１の前回運転時の最終値との差の開き具合が大きい場合には、最終値をそのまま基準値として設定すると、実際の汚れ量を超える分の過剰な空気清浄機能が発揮される事態を招き、エネルギが無駄となる。この点を考慮し、検出結果より低い値を基準値として設定するようにしている。
【０１００】
とくに、検出結果よりどのくらい低くするかについて、汚れセンサ１３の設定感度に対応する所定値を当てている。この所定値は、空気清浄機能の過剰発揮分に対応する。
【０１０１】
このような基準値の設定により、室内空間が汚れた状態で空気清浄運転モードが開始された場合でも、初期化動作終了後において、室内空間の汚れ具合を適切に捕らえることができ、空気清浄器１１の最適な運転制御を行うことができる。
【０１０２】
他の構成は第１実施例と同じである。
【０１０３】
［９］第９実施例について説明する。
【０１０４】
本実施例では、図９に示すフローチャートのように、汚れセンサ１３が作動終了（空気清浄モードの終了）してから一定時間（例えば１分）内に作動再開（空気清浄モードの開始）した場合、その作動再開から所定時間における初期化動作の終了後、前回作動時の制御で使用された基準値が今回作動時の基準値としてそのまま設定される（ステップＳ２，Ｓ１６）。
【０１０５】
すなわち、汚れセンサ１３が作動終了から作動再開が一定時間内であれば、前回作動時の汚れセンサ１３の検出結果と今回作動時の汚れセンサ１３の検出結果とに大きな相違はない。
【０１０６】
このような基準値の設定により、室内空間の汚れ具合を適切に捕らえることができ、空気清浄器１１の最適な運転制御を行うことができる。
【０１０７】
他の構成は第１実施例と同じである。
【０１０８】
［１０］第１０実施例について説明する。
【０１０９】
本実施例では、図１０に示すフローチャートのように、汚れセンサ１３が作動終了（空気清浄モードの終了）してから一定時間（例えば１分）内に作動再開（空気清浄モードの開始）した場合、その作動再開から所定時間における初期化動作の終了後、汚れセンサ１３の検出結果と前回作動時の制御で使用された基準値とが比較され、この比較結果に応じて今回作動時の基準値が設定される。
【０１１０】
汚れセンサ１３が作動終了から作動再開が一定時間内であれば、前回作動時の汚れセンサ１３の検出結果と今回作動時の汚れセンサ１３の検出結果とに大きな相違はない。
【０１１１】
そこで、実際に、前回作動時の制御で使用された基準値Ｖｅと今回作動時の汚れセンサ１３の検出結果（出力信号）Ｖｉとが比較され、両者の差がそれほど大きくなければ、具体的には［Ｖｉ＜（Ｖｅ＋α）；αは汚れ変化割合で例えば３％分に相当する］の条件が成立すれば、前回作動時の制御で使用された基準値Ｖｅが今回作動時の基準値としてそのまま設定される（ステップＳ２，Ｓ１６，Ｓ１７）。
【０１１２】
両者の差が大きく、[Ｖｉ≧（Ｖｅ＋α）] の条件が成立すれば、今回の検出結果Ｖｉより所定値低い値が今回作動時の基準値として設定される（Ｓ１６，Ｓ６）。
【０１１３】
このような基準値の設定により、室内空間の汚れ具合を適切に捕らえることができ、空気清浄器１１の最適な運転制御を行うことができる。
【０１１４】
他の構成は第１実施例と同じである。
【０１１５】
［１１］第１１実施例について説明する。
【０１１６】
本実施例では、図１１に示すフローチャートのように、汚れセンサ１３が作動終了（空気清浄モードの終了）してから一定時間（例えば１分）後に作動再開（空気清浄モードの開始）した場合、その作動再開から所定時間における初期化動作の終了後、汚れセンサ１３の検出結果と前回作動時における汚れセンサ１３の検出結果の最低値とが比較され、この比較結果に応じて今回作動時の基準値が設定される（ステップＳ４〜Ｓ７）。
【０１１７】
汚れセンサ１３が作動終了から作動再開までの時間が一定時間を超えていれば、前回作動時の汚れセンサ１３の検出結果と今回作動時の汚れセンサ１３の検出結果とに大きな相違が生じる可能性がある。
【０１１８】
そこで、実際に、前回作動時の検出結果の最低値Ｖminと今回作動時の検出結果Ｖｉとが比較され、両者の差が大きければ、具体的には[Ｖｉ≧（Ｖmin＋α）；αは汚れ変化割合で例えば３％分に相当する］の条件が成立すれば、たとえば、検出結果Ｖｉより所定値低い値が今回作動時の基準値として設定される（ステップＳ１６，Ｓ６）。
【０１１９】
両者の差がそれほど大きくなく、[Ｖｉ＜（Ｖmin＋α）] の条件が成立すれば、前回作動時の制御で使用された基準値Ｖｅが今回作動時の基準値としてそのまま設定される（ステップＳ１６，Ｓ１７）。
【０１２０】
このような基準値の設定により、室内空間の汚れ具合を適切に捕らえることができ、空気清浄器１１の最適な運転制御を行うことができる。
【０１２１】
他の構成は第１実施例と同じである。
【０１２２】
［１２］第１２実施例について説明する。
【０１２３】
汚れセンサ１３が検出する成分と空気清浄器１１により除去される成分とに相異がある場合、空気清浄器１１の運転による空気清浄が進んで汚れ度合が低下しても、汚れセンサ１３がそれになかなか反応しないことがある。
【０１２４】
この場合、空気清浄器１１の適切な運転制御が困難となる。
【０１２５】
汚れ度合を報知する機能があれば、ユーザは、空気清浄器１１の運転による空気清浄が続いているのに汚れが除去されないといった違和感を持ってしまう。
【０１２６】
そこで、図２０に示すように、初期化動作終了後、空気清浄器１１の運転制御用の基準値が時間経過に従い、すなわち制御時間（時間間隔）ｔごとに、Ｖ１，Ｖ２，Ｖ３，Ｖ４へと上昇方向に可変設定される。
【０１２７】
こうして、基準値を現時点の検出結果Ｖｉに近付けていくことにより、汚れセンサ１３の反応の有無や遅れにかかわらず、空気清浄の進行に合せた状態で空気清浄器１１の運転を適切に制御することができる。しかも、ユーザの実感に合った空気清浄と汚れ報知を行うことができる。
【０１２８】
他の構成は第１実施例と同じである。
【０１２９】
［１３］第１３実施例について説明する。
【０１３０】
本実施例では、第１２実施例と同様の構成において、最初の基準値Ｖ１をどのような値に設定するかについて、汚れセンサ１３の初期化動作が終了するごとに、その都度、汚れセンサ１３の検出結果（出力信号）に基づいて選定される。
【０１３１】
［１４］第１４実施例について説明する。
【０１３２】
本実施例では、第１３実施例と同様の構成において、制御時間ｔごとに設定される新たな基準値として、それまで用いられていた基準値を同基準値と現時点での汚れセンサ１３の検出結果との差（汚れ度合に相当する）で補正した値が選定される。
【０１３３】
［１５］第１５実施例について説明する。
【０１３４】
本実施例では、第１２実施例と同様の構成において、制御時間ｔが室内ファン５の風量に応じて可変設定される。
【０１３５】
［１６］第１６実施例について説明する。
【０１３６】
本実施例では、第１３実施例と同様の構成において、基準値Ｖ１，Ｖ２，Ｖ３，Ｖ４が室内ファン５の風量に応じて可変設定される。
【０１３７】
［１７］第１７実施例について説明する。
【０１３８】
本実施例では、第１６実施例と同様の構成において、制御時間ｔが汚れセンサ１３の検出結果（出力信号レベル）の大きさに応じて選定される。
【０１３９】
具体的には、図２８に示すように、汚れが多くて出力信号が大きいほど、短い制御時間ｔが選定される。
【０１４０】
［１８］第１８実施例について説明する。
【０１４１】
本実施例では、第１６実施例と同様の構成において、可変設定するＶ１，Ｖ２，Ｖ３，Ｖ４の変動幅が汚れセンサ１３の検出結果（出力信号レベル）の大きさに応じて選定される。
【０１４２】
具体的には、図２２に示すように、汚れが多くて出力信号が大きいほど、大きい変動幅が選定される。
【０１４３】
［１９］第１９実施例について説明する。
【０１４４】
本実施例では、第１３実施例と同様の構成において、制御時間ｔが汚れセンサ１３の設定感度に応じて選定される。
【０１４５】
具体的には、図３０に示すように、設定感度が高いほど、長い制御時間ｔが選定される。
【０１４６】
［２０］第２０実施例について説明する。
【０１４７】
本実施例では、第１２実施例と同様の構成において、可変設定するＶ１，Ｖ２，Ｖ３，Ｖ４の変動幅が汚れセンサ１３の設定感度に応じて選定される。
【０１４８】
具体的には、図３１に示すように、設定感度が高いほど、小さい変動幅が選定される。
【０１４９】
［２１］第２１実施例について説明する。
【０１５０】
本実施例では、第１３実施例と同様の構成において、汚れセンサ１３の感度を設定するための操作機能がリモートコントローラ４４に設けられる。このリモートコントローラ４４を操作することにより、汚れセンサ１３の感度を自由に調整することができる。
【０１５１】
よりユーザの実感に合った違和感のない空気清浄と汚れ報知が可能となる。
【０１５２】
［２２］第２２実施例について説明する。
【０１５３】
本実施例では、第１３実施例と同様の構成において、汚れセンサ１３の感度を設定するための操作機能がリモートコントローラ４４に設けられる。このリモートコントローラ４４を操作することにより、汚れセンサ１３の感度を自由に調整することができる。この調整は、空気清浄モードのときもそうでないときも可能である。
【０１５４】
よりユーザの実感に合った違和感のない空気清浄と汚れ報知が可能となる。
【０１５５】
［２３］第２３実施例について説明する。
【０１５６】
本実施例では、第１２実施例と同様の構成において、汚れセンサ１３の感度を設定するための操作機能がリモートコントローラ４４に設けられる。このリモートコントローラ４４を操作することにより、汚れセンサ１３の感度を自由に調整することができる。
【０１５７】
とくに、リモートコントローラ４４には、感度の操作機能だけでなく、運転モードや室内温度などの設定に関わる操作機能が存在する。よって、ユーザは、運転モードや室内温度などの設定操作を行う場合に、汚れセンサ１３の感度設定を忘れることなく確実に行うことができる。
【０１５８】
よりユーザの実感に合った違和感のない空気清浄と汚れ報知が可能となる。
【０１５９】
［２４］第２４実施例について説明する。
【０１６０】
本実施例では、汚れセンサ１３が検出する成分と空気清浄器１１により除去される成分とに相異がある場合、空気清浄器１１の運転による空気清浄が進んで汚れ度合が低下しても、汚れセンサ１３がそれになかなか反応しないことがある。
【０１６１】
この場合、空気清浄器１１の適切な運転制御が困難となる。
【０１６２】
汚れ度合を報知する機能があれば、ユーザは、空気清浄器１１の運転による空気清浄が続いているのに汚れが除去されないといった違和感を持ってしまう。
【０１６３】
そこで、初期化動作終了後、空気清浄器１１の運転制御用の基準値が室内温度センサ３１の検知温度Ｔａの変化に従って可変設定される。
【０１６４】
すなわち、空調運転と空気清浄運転との併合運転の場合、空気清浄が進む一方で室内温度Ｔａが変化するという特徴があり、この点に着目し、室内温度Ｔａの変化に従って基準値を可変設定するようにしている。
【０１６５】
これにより、汚れセンサ１３の反応の有無や遅れにかかわらず、空気清浄の進行に合せた状態で空気清浄器１１の運転を適切に制御することができる。しかも、ユーザの実感に合った空気清浄と汚れ報知を行うことができる。
【０１６６】
他の構成は第１実施例と同じである。
【０１６７】
［２５］第２５実施例について説明する。
【０１６８】
第２４実施例と同様の構成において、基準値が室内温度センサ３１の検知温度Ｔａの変化に従って可変設定されるとき、その可変設定の変動幅が運転開始時からの検知温度変化量ΔＴａに応じて選定される。
【０１６９】
具体的には、図３２に示すように、運転開始時からの室内温度変化量ΔＴａが大きいほど、大きい変動幅が選定される。
【０１７０】
［２６］第２６実施例について説明する。
【０１７１】
第２４実施例と同様の構成において、基準値が室内温度センサ３１の検知温度Ｔａの変化に従って可変設定されるとき、その可変設定の変動幅が所定時間（例えば図２０に示した制御時間ｔ）ごとの検知温度変化量ΔＴａに応じて選定される。
【０１７２】
具体的には、図３３に示すように、所定時間ごとの室内温度変化量ΔＴａが大きいほど、大きい変動幅が選定される。
【０１７３】
［２７］第２７実施例について説明する。
【０１７４】
第２４実施例と同様の構成において、基準値は、室内温度センサ３１の検知温度Ｔａの上昇に伴い上昇方向に可変設定される。
【０１７５】
［２８］第２８実施例について説明する。
【０１７６】
第２４実施例と同様の構成において、基準値が室内温度センサ３１の検知温度Ｔａの変化に従って可変設定されるとき、その可変設定の変動幅が、検知温度Ｔａの変化方向に応じて異なる値が選定される。
【０１７７】
具体的には、図３４に示すように、検知温度Ｔａの上昇時は大きい変動幅、下降時は小さい変動幅、上昇でもなく下降でもないいわゆる標準時は上昇時と下降時の中間的な変動幅がそれぞれ選定される。
【０１７８】
［２９］第２９実施例について説明する。
【０１７９】
汚れセンサ１３としてガスセンサを用いている場合、汚れセンサ１３は汚れ以外にも近くの室内熱交換器６の温度Ｔｃの影響を受けて出力信号に変化を生じることがある。
【０１８０】
汚れ量を報知する機能があれば、ユーザは、空気清浄の運転が進んでいるのに汚れが除去されないといった不信感を持つことがある。
【０１８１】
そこで、初期化動作終了後、空気清浄器１１の運転制御用の基準値が熱交換器温度センサ３２の検知温度（室内熱交換器６の温度）Ｔｃの変化に従って可変設定される。
【０１８２】
具体的には、図３５に示すように、検知温度Ｔｃの上昇時は大きい変動幅、下降時は小さい変動幅、上昇でもなく下降でもないいわゆる標準時は上昇時と下降時の中間的な変動幅がそれぞれ選定される。
【０１８３】
このような基準値の可変設定により、制御上は汚れが確実に除去されたこととなり、汚れ報知に関する不信感が解消される。
【０１８４】
他の構成は第１実施例と同じである。
【０１８５】
［３０］第３０実施例について説明する。
【０１８６】
第２９実施例と同様の構成において、室内熱交換器６が凝縮器、室外熱交換器２４が蒸発器として機能する暖房運転時は、室外熱交換器２４に徐々に霜が付着し、そのままでは熱交換効率が低下して暖房に悪影響を及ぼしてしまう。そこで、四方弁２２を切換えて高温冷媒を室外熱交換器２４に流入するいわゆる逆サイクル除霜が定期的または必要に応じて実行され、室外熱交換器２２に付着した霜が取り除かれるが、その除霜中は低圧側となる室内熱交換器６の温度Ｔｃが急激に低下する。
【０１８７】
室内熱交換器６の温度Ｔｃが急激に低下すると、その輻射温度の影響で汚れセンサ１３の出力信号が低下し、制御上は汚れが除去されたことになる。そして、除霜が終了すると、今度は室内熱交換器６の温度Ｔｃが急激に上昇し、その輻射温度の影響で汚れセンサ１３の出力信号が上昇し、制御上は汚れが発生したことになる。
【０１８８】
そこで、除霜に入ってからの最初の所定時間は、基準値を可変設定することなく、基準値が除霜前の状態に維持される。
【０１８９】
これにより、室内熱交換器温度Ｔｃの変化による悪影響が極力解消され、空気清浄の進行に合せた適切な空気清浄器１１の運転および汚れ報知を行うことができる。
【０１９０】
［３１］第３１実施例について説明する。
【０１９１】
第２９実施例において、室内熱交換器６が凝縮器、室外熱交換器２４が蒸発器として機能する暖房運転時は、室外熱交換器２４に徐々に霜が付着し、そのままでは熱交換効率が低下して暖房に悪影響を及ぼしてしまう。そこで、四方弁２２を切換えて高温冷媒を室外熱交換器２４に流入するいわゆる逆サイクル除霜が定期的または必要に応じて実行され、室外熱交換器２２に付着した霜が取り除かれるが、その除霜中は低圧側となる室内熱交換器６の温度Ｔｃが急激に低下する。
【０１９２】
室内熱交換器６の温度Ｔｃが急激に低下すると、その輻射温度の影響で汚れセンサ１３の出力信号が低下し、制御上は汚れが除去されたことになる。そして、除霜が終了すると、今度は室内熱交換器６の温度Ｔｃが急激に上昇し、その輻射温度の影響で汚れセンサ１３の出力信号が上昇し、制御上は汚れが発生したことになる。
【０１９３】
そこで、除霜中および除霜終了後の所定時間は、基準値を可変設定することなく、基準値が除霜前の状態に維持される。
【０１９４】
これにより、室内熱交換器温度Ｔｃの変化による悪影響が極力解消され、空気清浄の進行に合せた適切な空気清浄器１１の運転および汚れ報知を行うことができる。
【０１９５】
［３２］第３２実施例について説明する。
【０１９６】
第２９実施例において、室内熱交換器６が凝縮器、室外熱交換器２４が蒸発器として機能する暖房運転時は、室外熱交換器２４に徐々に霜が付着し、そのままでは熱交換効率が低下して暖房に悪影響を及ぼしてしまう。そこで、四方弁２２を切換えて高温冷媒を室外熱交換器２４に流入するいわゆる逆サイクル除霜が定期的または必要に応じて実行され、室外熱交換器２２に付着した霜が取り除かれるが、その除霜中は低圧側となる室内熱交換器６の温度Ｔｃが急激に低下する。
【０１９７】
室内熱交換器６の温度Ｔｃが急激に低下すると、その輻射温度の影響で汚れセンサ１３の出力信号が低下し、制御上は汚れが除去されたことになる。そして、除霜が終了すると、今度は室内熱交換器６の温度Ｔｃが急激に上昇し、その輻射温度の影響で汚れセンサ１３の出力信号が上昇し、制御上は汚れが発生したことになる。
【０１９８】
汚れ量や空気清浄器１１の能力状態を報知する機能があれば、ユーザは、空気清浄の運転が進んでいるのに汚れが除去されないといった不信感を持つことがある。
【０１９９】
そこで、除霜に入ってからの所定時間は、基準値を可変設定することなく、基準値が除霜前の状態に維持される。
【０２００】
これにより、室内熱交換器温度Ｔｃの変化による悪影響が極力解消され、空気清浄の進行に合せた適切な空気清浄器１１の運転および汚れ報知を行うことができる。
【０２０１】
［３３］第３３実施例について説明する。
【０２０２】
本実施例では、空気清浄器１１として、電気式集塵器が採用される。電気式集塵器は、煙草の煙も含め、従来のメッシュフィルターでは除去できないような細かな汚れを除去することができる。
【０２０３】
他の構成は第１実施例と同じである。
【０２０４】
［３４］第３４実施例について説明する。
【０２０５】
本実施例では、空気清浄器１１として、能力可変の電気式集塵器が採用される。
【０２０６】
図１２に示すように、汚れセンサ１３で検出される汚れが多いときには能力が最大に設定され、汚れが少なくなると能力が低減される。これにより、汚れに応じた効率的な運転が可能となる。
【０２０７】
他の構成は第１実施例と同じである。
【０２０８】
［３５］第３５実施例について説明する。
【０２０９】
本実施例では、空気清浄器１１のフィルタ１２として、活性炭等を利用した脱臭フィルタが採用される。この脱臭フィルタは、室内ファン５の運転に伴い、煙草の煙などの臭いを除去することができる。
【０２１０】
他の構成は第１実施例と同じである。
【０２１１】
［３６］第３６実施例について説明する。
【０２１２】
本実施例では、空気清浄器１１のフィルタ１２として、光再生脱臭フィルタが採用される。この光再生脱臭フィルタは、臭いを除去する機能を有するとともに、取り外して光を当てることで再生が可能であり、半永久的に使用することができる。
【０２１３】
他の構成は第１実施例と同じである。
【０２１４】
［３７］第３７実施例について説明する。
【０２１５】
本実施例では、空気清浄器１１のフィルタ１２として、光再生脱臭フィルタが採用される。この光再生脱臭フィルタは、臭いを除去する機能を有するとともに、取り外して光を当てることで再生が可能であり、半永久的に使用することができる。
【０２１６】
とくに、図１３に示すように、空気清浄器１１に再生手段として紫外線ランプ５１が装着される。この紫外線ランプ５１が点灯することで、光再生脱臭フィルタが再生される。すなわち、取り外しを要することなく光再生脱臭フィルタの再生が可能であり、メンテナンスフリーとなって便利である。
【０２１７】
他の構成は第１実施例と同じである。
【０２１８】
［３８］第３８実施例について説明する。
【０２１９】
本実施例では、図１４に示すように、室内ユニット１の吸込口２ａ，２ｂと対応する位置に整流手段５２が設けられる。整流手段５２は、空気清浄器１１の運転が停止しているときは全開して吸込口２ａ，２ｂの広範囲に室内空気を流入させ、空気清浄器１１が運転を始めるとその空気清浄器１１と対応する箇所のみ開いて他の箇所を閉塞し、空気清浄器１１に多量の室内空気を流入させる。この多量の空気流入により、効率の良い空気清浄が実施される。
【０２２０】
他の構成は第１実施例と同じである。
【０２２１】
［３９］第３９実施例について説明する。
【０２２２】
本実施例では、空気清浄器１１として、静電式フィルタが採用される。静電式フィルタは、従来のメッシュフィルターでは除去できないような細かな汚れを除去することができる。
【０２２３】
他の構成は第１実施例と同じである。
【０２２４】
［４０］第４０実施例について説明する。
【０２２５】
本実施例では、図１５に示すように、空気清浄器１１の付属機構として、室内ユニット１に換気ユニット５３が設けられる。換気ユニット５３は、ファン５４を内蔵し、室内空気と室外空気とを交換する機能、および室外からの導入空気を奇麗にする機能を持つ。
【０２２６】
他の構成は第１実施例と同じである。
【０２２７】
［４１］第４１実施例について説明する。
【０２２８】
本実施例では、図１６に示すように、空気清浄器１１の付属機構として、室内ユニット１に換気ユニット５３が設けられる。換気ユニット５３は、ファン５４を内蔵するとともに熱交換器５５を有し、室内空気と室外空気とを交換する機能、室外からの導入空気を奇麗にする機能、室内空気と室外空気との交換時に熱交換器５５を介して相互の熱交換を行う機能を持つ。とくに、熱交換機能により、換気時の室内空気の熱損失を少なくすることができ、快適である。
【０２２９】
他の構成は第１実施例と同じである。
【０２３０】
［４２］第４２実施例について説明する。
【０２３１】
図１７に示すように、空気清浄器１１の付属機構として、室内ユニット１に換気ユニット５３が設けられる。換気ユニット５３は、ファン５４を内蔵するとともに湿度調節器５６を有し、室内空気と室外空気とを交換する機能、室外からの導入空気を奇麗にする機能、室内空気と室外空気との交換時に湿度調節器５６を介して湿度調節を行う機能を持つ。とくに、湿度調節機能により、換気時の室内空気の湿度損失を少なくすることができ、快適である。
【０２３２】
他の構成は第１実施例と同じである。
【０２３３】
［４３］第４３実施例について説明する。
【０２３４】
本実施例では、汚れセンサ１３として、ガスセンサが採用される。ガスセンサは、図１８に示すように、煙草の煙、アルコール、水蒸気、線香の煙、焼き肉の煙などに対する検出機能を有する。とくに、二重丸を付けているように、煙草の煙とアルコールに対して高い感度を持つ。
【０２３５】
他の構成は第１実施例と同じである。
【０２３６】
［４４］第４４実施例について説明する。
【０２３７】
本実施例では、汚れセンサ１３として、図９に示すガスセンサ６０が採用される。
【０２３８】
ガスセンサ６０は、発熱体６１および感ガス体６２を有し、電圧Ｖｈの印加による発熱体６１の発熱によって作動し、感ガス体６２がガスに反応する。このとき、ガスの濃度に応じて感ガス体６２の抵抗値が変化する。感ガス体６２に負荷抵抗Ｒ１を介して電圧Ｖｃが印加されており、感ガス体６２の抵抗値変化に応じたレベルの電圧Ｖｉが負荷抵抗Ｒ１に生じる。この電圧Ｖｉが検出結果として出力される。
【０２３９】
とくに、負荷抵抗Ｒ１に対し、負荷抵抗Ｒ２、Ｒ３がそれぞれスイッチＳを介して並列接続されており、各スイッチＳの開閉によって出力特性を選択できるようになっている。すなわち、図２０に示すように、負荷抵抗Ｒ１、Ｒ２、Ｒ３の選択的な投入によって直線的な３種類の出力特性を選ぶことができる。
【０２４０】
なお、出力用として１個の抵抗器Ｒを有する例を図２１に示しており、この場合の出力特性は図２２に示すように指数曲線的に変化し、検出結果が不安定となる。
【０２４１】
これに対し、図１９のように複数個の負荷抵抗Ｒ１、Ｒ２、Ｒ３を設けることにより、図２０のような直線的な出力特性を得ることができ、常に安定した検出結果を得ることができる。しかも、出力電圧Ｖｉの高低レベル幅が狭くなるので、回路設計が容易になるという利点もある．
他の構成は第１実施例と同じである。
【０２４２】
［４５］第４５実施例について説明する。
【０２４３】
本実施例では、汚れセンサ１３として、具体的に赤外線センサ（いわゆる人体センサ）が採用される。赤外線センサは、室内の空気の汚れを検出することが可能である。
【０２４４】
他の構成は第１実施例と同じである。
【０２４５】
［４６］第４６実施例について説明する。
【０２４６】
本実施例では、室内ユニット１の筐体の外周面において、ユーザから見える位置に、汚れセンサ１３の検出結果または空気清浄器１１の能力状態を表示するための表示手段として、数個の発光ダイオード（ＬＥＤ）が設けられる。
【０２４７】
すなわち、図２３に示すように、５個の発光ダイオードがあるとして、汚れセンサ１３で検出される汚れ度合が大きい場合に５個の発光ダイオードが点灯し、汚れ度合が少なければ３個の発光ダイオードが点灯し、汚れがなく奇麗な場合に１個の発光ダイオードが点灯する。
【０２４８】
なお、色の異なる複数個の発光ダイオードを用意しておき、汚れ度合に応じた色分け表示を行うようにしてもよい。
【０２４９】
このような表示を行うことにより、居住空間の汚れ度合およびその汚れ度合の減り具合をユーザに判り易く知らせることができ、サービス性が向上する。
【０２５０】
他の構成は第１実施例と同じである。
【０２５１】
［４７］第４７実施例について説明する。
【０２５２】
本実施例では、第４６実施例における複数個の発光ダイオードが、空気清浄器１１の運転ランプとして兼用される。
【０２５３】
専用の運転ランプが不要となり、コストの低減が図れる。
【０２５４】
［４８］第４８実施例について説明する。
【０２５５】
本実施例では、リモートコントローラ４４で空気清浄運転（空調運転と空気清浄運転との併合運転を含む）が設定された場合に、汚れセンサ１３への通電が開始され、汚れセンサ１３が作動を開始する。
【０２５６】
すなわち、図２４のフローチャートに示すように、空気清浄運転が設定されて実質的な空気清浄モードが開始となってから（ステップ101のＹＥＳ）、汚れセンサ１３への通電が開始される（ステップ102）。これにより、汚れセンサ１３が作動を開始する。そして、汚れセンサ１３の初期化動作を経て（ステップ103）、汚れセンサ１３による汚れ監視が実行される（ステップ104）。汚れが検知されると（ステップ105のＹＥＳ）、空気清浄器１１の運転が開始される（ステップ106）。
【０２５７】
要するに、実質的な空気清浄モードでのみ汚れセンサ１３を作動させ、空調運転では汚れセンサ１３への通電を停止して省電力効果を得るようにしている。
【０２５８】
他の構成は第１実施例と同じである。
【０２５９】
［４９］第４９実施例について説明する。
【０２６０】
本実施例では、汚れセンサ１３は、その作動開始時、図２５に示すように、所定時間（約２分）が経過するまでは感ガス体６２の抵抗値が大きく低下し、実際の汚れと違うレベルの信号を出力する場合がある。
【０２６１】
そこで、作動開始後の所定時間（約２分）を初期化動作に当て、その間は汚れセンサ１３の出力信号を無視して汚れの誤検出を回避するようにしている。
【０２６２】
すなわち、図２６のフローチャートに示すように、空気清浄運転が設定されて実質的な空気清浄モードが開始となってから（ステップ101のＹＥＳ）、汚れセンサ１３への通電が開始される（ステップ102）。これにより、汚れセンサ１３が作動を開始する。そして、汚れセンサ１３の初期化動作が所定時間実行された後（ステップ103、ステップ107のＹＥＳ）、汚れセンサ１３による汚れ監視が実行される（ステップ104）。汚れが検知されると（ステップ105のＹＥＳ）、空気清浄器１１の運転が開始される（ステップ106）。
【０２６３】
要するに、汚れセンサ１３の特性に影響を受けることなく、精度の高い汚れ検出を行うようにしている。
【０２６４】
他の構成は第１実施例と同じである。
【０２６５】
［５０］第５０実施例について説明する。
【０２６６】
本実施例では、汚れセンサ１３は、その作動開始時、上記したように、所定時間（約２分）が経過するまでは感ガス体６２の抵抗値が大きく低下し、実際の汚れと違うレベルの信号を出力する場合がある。
【０２６７】
そこで、汚れセンサ１３の出力信号のレベルが所定値に達するまでは汚れセンサ１３の出力信号を無視して汚れの誤検出を回避するようにしている。これにより、汚れセンサ１３の特性に影響を受けることなく、精度の高い汚れ検出を行う。
【０２６８】
他の構成は第１実施例と同じである。
【０２６９】
［５１］第５１実施例について説明する。
【０２７０】
本実施例では、室内ユニット１の筐体の外周面において、ユーザから見える位置に、汚れセンサ１３の検出結果または空気清浄器１１の能力状態を表示するための表示手段として、数個の発光ダイオード（ＬＥＤ）が設けられる。
【０２７１】
空気清浄運転（空調運転と空気清浄運転との併合運転を含む）の設定に基づく実質的な空気清浄モードの開始に際し、上記各発光ダイオードが最少個数の１個だけ点灯され、初期化動作が終了した後、汚れセンサ１３の汚れ検出の度合に応じた個数の発光ダイオードが点灯される。
【０２７２】
汚れセンサ１３は、その作動開始時、所定時間（約２分）が経過するまでは実際の汚れと違うレベルの信号を出力する場合がある。このため、発光ダイオードの点灯個数による汚れ度合の報知を最初から正しく行うことは困難である。
【０２７３】
そこで、上記のように、汚れセンサ１３の作動開始後の初期化動作中は最少個数の発光ダイオードを点灯し、空気清浄モードが開始されたこと、ただし初期化動作中であること、を知らせるようにしている。
【０２７４】
このような表示を行うことにより、居住空間の汚れ度合の報知だけでなく、汚れ検知の進行状況についてもユーザに判り易く知らせることができ、サービス性が向上する。
【０２７５】
他の構成は第１実施例と同じである。
【０２７６】
［５２］第５２実施例について説明する。
【０２７７】
本実施例では、汚れセンサ１３の作動開始後の初期化動作中は中間個数たとえば３個の発光ダイオードが点灯され、空気清浄モードが開始されたこと、ただし初期化動作中であること、が報知される。
【０２７８】
他は第５１実施例と同じである。
【０２７９】
［５３］第５３実施例について説明する。
【０２８０】
本実施例では、汚れセンサ１３の作動開始後の初期化動作中は最少個数である１個の発光ダイオードが点滅され、空気清浄モードが開始されたこと、ただし初期化動作中であること、が報知される。
【０２８１】
他は第５１実施例と同じである。
【０２８２】
［５４］第５４実施例について説明する。
【０２８３】
本実施例では、汚れセンサ１３は、その作動開始時、上記したように、所定時間（約２分）が経過するまでは感ガス体６２の抵抗値が大きく低下し、実際の汚れと違うレベルの信号を出力する場合がある。
【０２８４】
つまり、汚れセンサ１３の作動が開始されても、初めの所定時間は室内空気の汚れ度合がどのくらいなのか知ることができない。
【０２８５】
そこで、汚れセンサ１３の作動開始と同時に室内ファン５の運転が開始されるが、その室内ファン５の風量を室内空気の汚れ度合に応じて調節する制御機能が存在する場合には、初めの所定時間における初期化動作において、室内ファン５の風量が強制的に最低風量たとえば超微風に設定される。
【０２８６】
要するに、汚れ度合が分からない状態での風量調節を禁止することで、居住者に不快感を与えないようにしている。
【０２８７】
他の構成は第１実施例と同じである。
【０２８８】
［５５］第５５実施例について説明する。
【０２８９】
本実施例では、室内ファン５の風量を室内空気の汚れ度合に応じて調節する制御機能が存在する場合に、汚れセンサ１３の作動開始から初めの所定時間における初期化動作において、室内ファン５の風量が強制的に中間風量たとえば微風に設定される。
【０２９０】
【発明の効果】
以上述べたようにこの発明によれば、空調運転の実行の有無にかかわらず、室内空気の汚れを自動的に捕らえて除去することができ、しかも埃だけでなく煙草の煙などについてもその除去を可能とし、居住空間を常に快適な状態に保つことができる空気清浄器付空気調和機を提供できる。
【図面の簡単な説明】
【図１】各実施例の室内ユニットの外観斜視図。
【図２】図１の内部構成を示す図。
【図３】各実施例の制御回路のブロック図。
【図４】第１実施例における室内ユニットの概略斜視図。
【図５】第１実施例の作用を説明するためのフローチャート。
【図６】第２、第３、第４実施例の作用を説明するためのフローチャート。
【図７】第５実施例の作用を説明するためのフローチャート。
【図８】第６、第７、第８実施例の作用を説明するためのフローチャート。
【図９】第９実施例の作用を説明するためのフローチャート。
【図１０】第１０実施例の作用を説明するためのフローチャート。
【図１１】第１１実施例の作用を説明するためのフローチャート。
【図１２】第３４実施例における検出汚れと空気清浄器の能力との関係を示す図。
【図１３】第３７実施例における室内ユニットの概略斜視図。
【図１４】第３８実施例における室内ユニットの概略斜視図。
【図１５】第４０実施例における室内ユニットの概略斜視図。
【図１６】第４１実施例における室内ユニットの概略斜視図。
【図１７】第４２実施例における室内ユニットの概略斜視図。
【図１８】第４３実施例におけるガスセンサの特性を示す図。
【図１９】第４４実施例におけるガスセンサの構成を示す図。
【図２０】図１９のガスセンサの特性を示す図。
【図２１】第４４実施例に関わる一般的なガスセンサの構成を示す図。
【図２２】図２１のガスセンサの特性を示す図。
【図２３】第４６実施例における発光ダイオード表示を説明するための図。
【図２４】第４８実施例の作用を説明するためのフローチャート。
【図２５】第４９実施例における汚れセンサの初期動作特性を示す図。
【図２６】第５０実施例の作用を説明するためのフローチャート。
【図２７】第５１実施例におけるセンサ出力と基準値との関係を示す図。
【図２８】第１７実施例の作用を説明するための図。
【図２９】第１８実施例の作用を説明するための図。
【図３０】第１９実施例の作用を説明するための図。
【図３１】第２０実施例の作用を説明するための図。
【図３２】第２５実施例の作用を説明するための図。
【図３３】第２６実施例の作用を説明するための図。
【図３４】第２８実施例の作用を説明するための図。
【図３５】第２９実施例の作用を説明するための図。
【符号の説明】
１…室内ユニット
２ａ，２ｂ，２ｃ…吸込口
３…吹出口
５…室内ファン
６…室内熱交換器
１１…空気清浄器
１３…汚れセンサ（汚れ検出手段）
３１…室内温度センサ
３２…熱交換器温度センサ
４０…制御回路
【図１】
0004256511.tif 000002
【図２】
0004256511.tif 000003
【図３】
0004256511.tif 000004
【図４】
0004256511.tif 000005
【図５】
0004256511.tif 000006
【図６】
0004256511.tif 000007
【図７】
0004256511.tif 000008
【図８】
0004256511.tif 000009
【図９】
0004256511.tif 000010
【図１０】
0004256511.tif 000011
【図１１】
0004256511.tif 000012
【図１２】
0004256511.tif 000013
【図１３】
0004256511.tif 000014
【図１４】
0004256511.tif 000015
【図１５】
0004256511.tif 000016
【図１６】
0004256511.tif 000017
【図１７】
0004256511.tif 000018
【図１８】
0004256511.tif 000019
【図１９】
0004256511.tif 000020
【図２０】
0004256511.tif 000021
【図２１】
0004256511.tif 000022
【図２２】
0004256511.tif 000023
【図２３】
0004256511.tif 000024
【図２４】
0004256511.tif 000025
【図２５】
0004256511.tif 000026
【図２６】
0004256511.tif 000027
【図２７】
0004256511.tif 000028
【図２８】
0004256511.tif 000029
【図２９】
0004256511.tif 000030
【図３０】
0004256511.tif 000031
【図３１】
0004256511.tif 000032
【図３２】
0004256511.tif 000033
【図３３】
0004256511.tif 000034
【図３４】
0004256511.tif 000035
【図３５】
0004256511.tif 000036